(57)【特許請求の範囲】
【請求項１】
平面視Ｌ字形の継手本体の両端部に軒樋接続部を有するともに、継手本体の出隅側のコーナー部内面にほぼ水平に差し渡して設けられた係止部を有する曲がり樋継手の係止部が、屋内側の端部が建物の出隅部の軒先コーナー部に固定された吊具の屋外側の端部にて支持されてなる曲がり樋継手の支持構造であって、
前記吊具の屋外側の端部に突部が設けられ、この突部に前記係止部から下方に突設された係止片が当接して係止されるようにされていることを特徴とする曲がり樋継手の支持構造。
【請求項２】
吊具の屋外側の先端に逆Ｌ字状の係止片が立設され、この係止片に継手本体の係止部が当接して係止されるようにされている請求項１記載の曲がり樋継手の支持構造。
【発明の詳細な説明】
【０００１】
【発明の属する技術分野】
本発明は、家屋の軒先の出隅部における曲がり樋継手の支持構造に関する。
【０００２】
【従来の技術】
従来より、寄棟タイプの屋根においては、樋集水器を軒先に設け、この樋集水器の軒樋嵌着部に両側の軒樋の端部を嵌着し、屋根の出隅部では軒樋曲がり継手を用いて両側の軒樋を接続することにより、屋根の周りに軒樋が配設されている。この軒樋曲がり継手は、たとえば実開平４−９８９３２号公報などに記載されているように、平面視Ｌ字形の継手本体の両端部に、接続される軒樋の外面形状に符合した軒樋接続部が設けられたものである。
【０００３】
【発明が解決しようとする課題】
しかしながら、上記の継手本体の軒樋接続部と軒樋が嵌合していない部分の垂直断面形状は、軒樋とほぼ同じ形状とされ、入隅部の下端コーナー部の曲率半径は小さく、角張った形になされているため、軒樋の温度変化に伴って生じる伸縮、特に軒樋の収縮によって、継手本体の入隅部の下端コーナー部に引っ張り応力が集中し、入隅部の下端コーナー部から亀裂を生じたり、あるいは破損するという問題があった。
【０００４】
また、軒先に軒樋と曲がり樋継手を取り付ける際、曲がり樋継手と鼻隠し板の間に所定の間隔を開けて取り付けるようになされていないため、曲がり樋継手の入隅部の側壁の一部が鼻隠し板側に近接して施工された場合、軒樋の収縮によって曲がり樋継手が鼻隠し板に当って、亀裂が生じたり破壊したりするという問題があった。
【０００５】
本発明の目的は、軒樋が熱伸縮しても、曲がり樋継手に亀裂や破損が生じることのない曲がり樋継手の支持構造を提供することである。
【０００６】
【課題を解決するための手段】
請求項１記載の本発明は、平面視Ｌ字形の継手本体の両端部に軒樋接続部を有するとともに、継手本体の出隅側のコーナー部内面にほぼ水平に差し渡して設けられた係止部を有する曲がり樋継手の係止部が、屋内側の端部が建物の出隅部の軒先コーナー部に固定された吊具の屋外側の端部にて支持されてなる曲がり樋継手の支持構造であって、
前記吊具の屋外側の端部に突部が設けられ、この突部に前記係止部から下方に突設された係止片が当接して係止されるようにされている曲がり樋継手の支持構造である。
【０００７】
請求項２記載の本発明は、請求項１記載の曲がり樋継手の支持構造において、吊具の屋外側の先端に逆Ｌ字状の係止片が立設され、この係止片に継手本体の係止部が当接して係止されるようにされているものである。
【０００８】
（作用）
請求項１記載の本発明の支持構造では、吊具の屋外側の端部に設けられた突部に、継手本体の出隅側のコーナー部内面に設けられた係止部から下方に突設された係止片が当接して係止されるようにされているので、軒樋の伸縮によって曲がり継手本体に圧縮力あるいは引張力が作用しても、この圧縮力あるいは引張力は、継手本体の係止部の係止片が吊具の突部に当接して係止することで吸収緩和されることになる。このため、接続される軒樋の収縮によって、曲がり樋継手が建物の出隅部の軒先側に接近するのを防止でき、曲がり継手本体の入隅部側に亀裂が生じたり、あるいは破壊したりすることがない。
【０００９】
請求項２記載の本発明の支持構造では、吊具の屋外側の先端に逆Ｌ字状の係止片が立設され、この係止片に継手本体の係止部が当接して係止されるようにされているので、軒樋の伸長によって継手本体に圧縮力が作用して、継手本体が屋外側に張り出そうとしても、継手本体の係止部が吊具先端の係止片に引っ掛かって係止するので、無理な張出を防止することができる。
【００１０】
【発明の実施の形態】
以下、本発明の実施の形態を図面に基づいて説明する。
図１は本発明の曲がり樋継手の支持構造の第１実施例を示す模式説明図、図２は図１における曲がり樋継手を示す斜視図、図３は図２の曲がり樋継手を示す分解斜視図、図４は図３の要部を示す拡大図である。
【００１１】
図１において、１は平面視Ｌ字形の曲がり樋継手、２は吊具、３，３は軒樋である。そして、図に示すように、吊具２の二股状の取付け板片２１が建物の鼻隠し板４の出隅部のコーナー部４１に釘５にて固定され、この吊具２の先端部上面にて曲がり樋継手１の出隅側のコーナー部の一部が支持され、曲がり樋継手１の両端部に両軒樋３の端部がそれぞれ接着されることで、建物の軒先の出隅部に曲がり樋継手１を介して両軒樋３，３が配設された支持構造とされている。
【００１２】
まず、上記曲がり樋継手１の構成を図２に基づいて説明する。
曲がり樋継手１は断面略Ｕ字状の樋状体が９０度折り曲げられた平面視Ｌ字形状のものであり、軒樋が接続される軒樋接続部１１が両端部に設けられた継手本体１０と、この軒樋接続部１１の内面に設けられた軒樋係止片１２と、軒樋接続部１１の上端に設けられた耳押え片１３とを備えている。なお、曲がり樋継手１はＡＥＳ樹脂製のものである。
【００１３】
継手本体１０は、底壁１０２と、この底壁１０２の両側から立設した前側壁１０１および後側壁１０３を有している。そして、図３に示すように、継手本体１０は、その前側壁１０１の部分が上下に分割されることで、上継手部材１０Ｕと下継手部材１０Ｌとに分割されている。後側壁１０３の入隅部側が継手本体１０の前側壁１０１の出隅部側に膨らんだ円弧状の側壁１０３ａとされるとともに、その両側部は軒樋接続部１１と滑らかに連続するテーパー状の側壁１０３ｂとされている。
【００１４】
そして、下継手部材１０Ｌの前側壁１０１のコーナー部およびこのコーナー部と軒樋接続部１１のほぼ真ん中に位置する部分の内面には連結用の嵌着部１０１ａ，１０１ｂが設けられている。嵌着部１０１ａは、図５に示すように、前側壁１０１の傾斜した内面から上方に所定の間隔をおいて立設された前後板片１０１１と、この前後板片１の両側の位置から上方に立設された左右および中間板片１０１２とから構成されている。
【００１５】
一方、図３に示すように、上継手部材１０Ｕの下端内縁から内方には連結用の差し込み部１０１１が一体に延設されている。そして、上継手部材１０Ｕと下継手部材１０Ｌとは、図５および図６に示す連結部材にて一体に組み立てられている。
【００１６】
図５に示す連結部材６はコーナー部用のものであり、平面視直角二等片三角形状のものである。連結部材６は、断面コ字状のＬ字形枠体６１と、この枠体６１の両端上面から立設されて枠体６１の両端を連結する係止部６２とから構成されている。枠体６１の上片６１１と下片６１２とで、上記上継手部材１０Ｕの差し込み部が係止される装着溝６１ａを形成している。枠体６１の下端外縁から下方に５個の連結片６３が一体に設けられている。この連結片６３の１個は両側に跨がってＬ字状とされている。
【００１７】
係止部６２の長手方向のほぼ中央の下面には、所定の間隔をおいて左右一対の係止片６４が垂設されている。両係止片６４は変形し易くするために薄肉とされ、また、折れ易くするために、両係止片６４の上端の両端のみが係止部６２の下端と一体化されている。
【００１８】
図６に示す連結部材７はコーナー部より離れた位置に存在する嵌着部１０１ｂに適用されるものであり、断面コ字状の本体７１と、この本体７１の下端外縁から下方に突設された２個の連結片７２とからなっている。本体７１の上片７１１と下片７１２とで、上記上継手部材１０Ｕの差し込み部１０１１が係止される装着溝７１ａを形成している。
【００１９】
そして、両連結部材６，７を下継手部材１０Ｌの前側壁１０１の上端内面に設けられた連結用の嵌着部１０１ａ，１０１ｂにそれぞれ嵌着することで、上継手部材１０Ｕの連結用の差し込み部１０１１が差し込まれて係止されるようになっている。
【００２０】
吊具２はポリカーボネート樹脂製のものであり、図７に示すように、二股状の取付け板片２１と、この取付け板片２１の下部前面から外方にほぼ水平に突設された断面略Ｉ字状の吊り部２２とを有している。取付け板片２１には２個の取付け孔２２１が穿孔されている。吊り部２２の先端には逆Ｌ字状の係止片２３が一体に立設されている。この係止片２３の幅は吊り部２２とほぼ同一とされている。係止片２３よりも手前に位置する吊り部２２の両側には、平面視直角三角形状の突部２４が設けられている。
【００２１】
つぎに、上記曲がり樋継手１の使用態様を図面に基づいて説明する。
図８〜図９は曲がり樋継手の施工状態を示す説明図である。
まず、建物の軒先の鼻隠し板４の出隅部のコーナー部４１に、吊具２の二股状の取付け板片２１を釘５にて固定する。また、従来と同様に、コーナー部４１以外の鼻隠し板４の前面に、所定の間隔をおいて、軒樋用の吊具２Ａを釘にて固定する。
【００２２】
つぎに、曲がり樋継手１を構成している下継手部材１０Ｌに連結部材６，７を接着剤を用いて接着して固定する（図３を参照）。連結部材６の係止部６２を吊具２の吊り部２２を跨ぐように吊り部２２の上面に配置し、吊り部２２の上面にて係止部６２の下面を支持して下継手部材１０Ｌを仮配置する。
【００２３】
そして、図９（ａ）に示すように、この仮配置した下継手部材１０Ｌの一方の軒樋接続部１１に軒樋３の端部を軒樋係止片１２の奥側まで差し込み、かつ、耳押え片１３にて軒樋３の後耳３２を係止し、押え片１３を軒樋３の前側壁の溝内に係止する。同様にして、図９（ｂ）に示すように、下継手部材１０Ｌの他方の軒樋接続部１１に軒樋３の端部を接続する。その際、軒樋３の端部を差し込む前にあらかじめ、軒樋接続部１１の内周面に塩化ビニル樹脂系の接着剤を塗布しておく。
【００２４】
なお、軒樋３は、図１０に示す断面形状を有する前高タイプのものであり、底壁３ａの両側から立設した前側壁３ｂおよび後側壁３ｃの上端にそれぞれ前耳３１と後耳３２を有している。また、前側壁３ｂの下部にはその壁部が内方に張り出すことで、長手方向に連続した溝３３が設けられている。
【００２５】
下継手部材１０Ｌの両軒樋接続部１１に軒樋３を接続したのち、図９（ｂ）に示すように、上継手部材１０Ｕの差し込み部を、下継手部材１０Ｌに固定した両連結部材６，７の装着溝６１ａ，７１ａ内に接着剤を塗布して差し込み、上継手部材１０Ｕの両側上端の耳押さえ片１３を軒樋３の前耳に係止させる。
【００２６】
このようにして、上記図１に示したように、建物の鼻隠し板４の出隅部のコーナー部４１に曲がり樋継手１を介して両軒樋３，３が配設された支持構造とされている。
【００２７】
そして、図１に示した曲がり樋継手１の支持構造において、気温の上昇に伴って、両軒樋接続部１１に接着接続された両軒樋３，３が伸長すると、継手本体１は、その連結部材６の係止部６２の下面が吊具２の吊り部の上面を摺動して外方に変位することになる。この結果、継手本体１に作用する圧縮力は吸収緩和される。
【００２８】
また、吊具２の屋外側の先端に逆Ｌ字状の係止片２３が立設され、この係止片２３に継手本体１０の係止部６２が係止されるようになされているので、軒樋３の伸長によって継手本体１０に圧縮力が作用して、継手本体１０が屋外側に張り出そうとしても、継手本体１０の係止部６２が吊具２先端の係止片２３に引っ掛かって係止するので、無理な張り出しを防止することができる。
【００２９】
一方、上記曲がり樋継手１の支持構造において、気温の低下に伴って両軒樋３が収縮すると、継手本体１は、その連結部材６の係止部６２の下面が吊具２の吊り部の上面を摺動して内方に変位することになる。その際、吊り部２２の両側に突部２４が存在しているので、継手本体１がある程度変位したところで、係止部６２の下面に垂設された両係止片６４が突部２４に当接することになる。
【００３０】
そして、両係止片６４が変形し易い形態のものであるので、両係止片６４が変形あるいは破損することで、継手本体１に作用する引っ張り力は吸収緩和される。このため、継手本体１０の入隅部側に亀裂が生じたり、あるいは破壊したりすることがない。
【００３１】
しかも、継手本体１の入隅部側は出隅部側に膨らんだ円弧状の壁で形成されているので、継手本体１と鼻隠し板４との間の隙間は他の部分よりも広くなっている。このため、両軒樋３の収縮によって継手本体１が変形しても、継手本体１の入隅部１２が鼻隠し板４のコーナー部４１に当接して破壊することはない。
【００３２】
【発明の効果】
請求項１記載の本発明の曲がり樋継手の支持構造においては、軒樋の伸縮によって曲がり継手本体に作用する圧縮力あるいは引張力は、継手本体の係止部の係止片が吊具の突部に当接して係止することで吸収緩和され、この結果、たとえば軒樋の収縮に起因する曲がり樋継手の建物の出隅部の軒先側への接近を防止でき、曲がり継手本体の入隅部側に亀裂や破壊が生じることがない。
【図面の簡単な説明】
【図１】本発明の曲がり樋継手の支持構造の第１実施例を示す模式説明図である。
【図２】図１における曲がり樋継手を示す斜視図である。
【図３】図２の曲がり樋継手を示す分解斜視図である。
【図４】図３の要部を示す拡大図である。
【図５】図３におけるコーナー用の連結部材を示す斜視図である。
【図６】図３における他の連結部材を示す斜視図である。
【図７】図１における吊具を示す正面図および平面図である。
【図８】図７の吊具の取付け状態を示す説明図である。
【図９】図２の曲がり樋継手の施工状態を示す説明図である。
【図１０】曲がり樋継手と接続される軒樋を示す断面図である。
【図１１】曲がり樋継手の変位状態を示す要部説明図である。
【図１２】曲がり樋継手の変位状態を示す他の要部説明図である。
【符号の説明】
１  曲がり樋継手
１０  継手本体
１０Ｕ  上継手部材
１０Ｌ  下継手部材
１０１  前側壁
１０２  底壁
１０３  後側壁
１０１ａ，１０１ｂ  嵌着孔
１０１１  差し込み部
１１  軒樋接続部
１２  軒樋係止片
１３  耳押え片
２  吊具
２１  取付け板片
２２  吊り部
２３  係止片
３  軒樋
４  鼻隠し板
４１  コーナー部
５  釘
６  連結部材
６１  Ｌ字形枠体
６２  係止部
６１ａ  装着溝
６４  係止片
７  連結部材
７１  本体
７２  連結片
７１ａ  装着溝
【図１】
0004104247.tif 000002
【図２】
0004104247.tif 000003
【図３】
0004104247.tif 000004
【図４】
0004104247.tif 000005
【図５】
0004104247.tif 000006
【図６】
0004104247.tif 000007
【図７】
0004104247.tif 000008
【図８】
0004104247.tif 000009
【図９】
0004104247.tif 000010
【図１０】
0004104247.tif 000011
【図１１】
0004104247.tif 000012
【図１２】
0004104247.tif 000013